(57)【特許請求の範囲】
【請求項１】
浚渫船の前方に配置された汚濁防止枠と、浚渫した土砂が積載される土運船を利用して施工される浚渫作業の汚濁を防止する構造であって、
前記汚濁防止枠には、磁力により前記土運船の舷側に吸着して前記汚濁防止枠と前記土運船とを連結する連結手段が設けられており、
前記連結手段は、前記磁力のオンとオフを自在に切替可能である
ことを特徴とする浚渫作業用の汚濁防止構造。
【請求項２】
前記連結手段は、前記磁力のオンとオフを遠隔操作する遠隔操作手段を有していることを特徴とする請求項１に記載の浚渫作業用の汚濁防止構造。
【請求項３】
前記土運船には、
上辺が前記土運船の一側縁部に固定され、下辺が前記汚濁防止枠内へ垂下する汚濁防止シートが設けられていることを特徴とする請求項１に記載の浚渫作業用の汚濁防止構造。
【請求項４】
前記汚濁防止シートは、下辺に錘材が取付けられており、
前記錘材には、一側端部が前記土運船の前記一側縁部と固定された線材が連結されていることを特徴とする請求項３に記載の浚渫作業用の汚濁防止構造。
【発明の詳細な説明】
【技術分野】
【０００１】
本発明は、浚渫作業用の汚濁防止構造に関する。
【背景技術】
【０００２】
従来から、浚渫船による浚渫作業においては、浚渫した土砂が拡散して周辺水域を汚濁することを防ぐ汚濁防止枠が配備されている。また、汚濁防止枠内の浚渫された土砂を、バケットなどにより土運船に移す作業が行われている。
【０００３】
一般的に、土運船と汚濁防止枠とはロープによる繋留がされていない。そのため、汚濁防止枠と土運船との間には隙間が存在する。したがって、浚渫した土砂を土運船へ移す際に、バケットから零れた土砂や濁水が隙間に落ちて汚濁を発生させてしまう虞がある。
【０００４】
上記問題に鑑み、例えば土運船に、土運船と汚濁防止枠との隙間を覆うウインチで下せる汚濁防止板を設ける構成が開示されている。この汚濁防止板は、土運船の一側端部に固定された基部を枢支して上下方向において傾動自在な構成とされている。汚濁防止板は、先端部を下方へ傾動させていくことにより、汚濁防止枠を土運船に引き寄せると共に、土運船と汚濁防止枠の隙間を覆うことができる。
【０００５】
即ち、上記の汚濁防止板は、汚濁防止枠を土運船に引き寄せる機能（引き寄せ機能）と、土運船と汚濁防止枠との隙間を覆って落下物による汚濁を防止する機能（汚濁防止機能）の両方を発揮する（例えば特許文献１参照）。
【先行技術文献】
【特許文献】
【０００６】
【特許文献１】特許第５６７６２２９号公報
【発明の概要】
【発明が解決しようとする課題】
【０００７】
しかし、特許文献１の汚濁防止板は、水面が大きく揺動すると汚濁防止枠を引き寄せることが難しくなり、汚濁防止機能を発揮できない場合がある。また、土運船と汚濁防止枠は、水面が揺動して互いに離間する方向へ移動する場合に、汚濁防止板の先端部が周辺部材に接触して破損してしまう虞がある。
【０００８】
特許文献１の汚濁防止板は、汚濁防止枠を引き寄せるに足りる十分な大きさ（長さと幅）が必要である。また、汚濁防止板を土運船に取付けるには、ウインチなどの装置が別途必要となる。したがって、全体的に大掛かりな装置となり、費用も嵩む。
【０００９】
本発明の一つの実施形態の目的は、上記課題点を鑑みてなされたものであり、引き寄せ機能と汚濁防止機能を確実に発揮でき、且つ経済的な浚渫作業用の汚濁防止構造を提供することにある。
【課題を解決するための手段】
【００１０】
上記の課題は、
浚渫船の前方に配置された汚濁防止枠と、浚渫した土砂が積載される土運船を利用して施工される浚渫作業の汚濁を防止する構造であって、
前記汚濁防止枠には、磁力により前記土運船の舷側に吸着して前記汚濁防止枠と前記土運船とを連結する連結手段が設けられており、
前記連結手段は、前記磁力のオンとオフを自在に切替可能である
ことを特徴とする浚渫作業用の汚濁防止構造により解決できる。
【発明の効果】
【００１１】
本発明によれば、引き寄せ機能と汚濁防止機能を確実に発揮でき且つ経済的な浚渫作業用の汚濁防止構造を提供できる。
【図面の簡単な説明】
【００１２】
【図１】本発明の実施形態に係る浚渫作業用の汚濁防止構造を実施した状態を示す全体図である。
【図２】本発明の実施形態に係る浚渫作業用の汚濁防止構造を説明する部分拡大斜視図である。Ａは土運船と汚濁防止枠とが連結される前を示し、Ｂは土運船と汚濁防止枠とが連結された状態を示す。
【図３】本発明の実施形態に係る浚渫作業用の汚濁防止構造の施工手順を説明する図であり、汚濁防止枠と土運船とが連結手段により連結されるまでの工程を示す。
【図４】本発明の実施形態に係る浚渫作業用の汚濁防止構造の施工手順を説明する図であり、汚濁防止枠と土運船との連結から該連結が解除されるまでの工程を示す。
【発明を実施するための形態】
【００１３】
以下、本発明に係る浚渫作業用の汚濁防止構造の実施形態を説明する。各図面中、同一又は相当する部分には同一の符号を付しており、その重複説明は適宜簡略化ないし省略する。図面は、部材もしくは部品間の相対比を示すことを目的としない。したがって、具体的な寸法は、以下の限定的でない実施形態に照らし、当業者により決定することができる。
【００１４】
図１は、本発明の実施形態に係る浚渫作業用の汚濁防止構造を実施した状態を示す全体図である。図１Ａは平面図を示し、図１Ｂは汚濁防止枠を正面から見た正面図を示す。
【００１５】
本発明は、浚渫船１の前方に配置された汚濁防止枠２と、浚渫した土砂が積載される土運船３を利用して施工される浚渫作業の汚濁を防止する構造である。
【００１６】
浚渫船１は、グラブ式浚渫船やバックホウ式浚渫船などであり、揚重機６を有している。図示例の浚渫船１はグラブ式浚渫船を示したが、この限りではない。
【００１７】
揚重機６は、先端部にグラブバケット６１を有し、該グラブバケット６１はワイヤ６３を介してブーム６２により揚重機６の本体６０と接続されている。グラブバケット６１は、ワイヤ６３の巻き出し又は巻き取り操作により上下方向に昇降する。揚重機６の本体６０は旋回可能な構成とされ、本体６０の旋回によりブーム６２を所定の位置まで旋回させる。ブーム６２は、垂直方向（上下方向）に上げ下げ可能な構成とされている。
【００１８】
汚濁防止枠２は、フロート体２１と、汚濁防止膜２２を有している。フロート体２１は、一辺が１５〜２５ｍの矩形（四角形状）状に組み立てられている。具体的に汚濁防止枠２は、図２に示すように中空部を有する鋼管が矩形状に組み合わされて形成される。使用される鋼管は、角形鋼管や円形鋼管であってよい。
【００１９】
汚濁防止膜２２は、フロート体２１の各辺から垂下されて、浚渫する領域を囲む膜である。汚濁防止膜２２の下端には錘材が付設されてよい。
【００２０】
浚渫作業は、先ず浚渫船１の前方に、浚渫区域を矩形状に囲む汚濁防止枠２をロープ４等により繋留し、また、浚渫船１の舷側に、土運船３をロープ５等により繋留して、この土運船３を浚渫船１と汚濁防止枠２とに並設するように配置する。
【００２１】
そして、揚重機６のグラブバケット６１により汚濁防止枠２内を浚渫し、この浚渫した土砂を掴んだグラブバケット６１を水上まで引き上げ、グラブバケット６１が土運船３上に来るように揚重機６の本体６０を旋回し、グラブバケット６１を開いて浚渫した土砂を土運船３に積み込む。
【００２２】
本発明は、グラブバケット６１の移動中に、このグラブバケット６１の隙間から土砂及び濁水が汚濁防止枠２と土運船３との間の間隙に零れ落ちて、汚濁防止枠外で汚濁が発生するのを防止する構造を具備している。以下その点を説明する。
【００２３】
本発明の浚渫作業用の汚濁防止構造の詳細を、図１、図２を参照しながら説明する。図２は、本発明の実施形態に係る浚渫作業用の汚濁防止構造を説明する部分拡大斜視図である。図２Ａは土運船と汚濁防止枠とが連結される前を示し、図２Ｂは土運船と汚濁防止枠とが連結された状態を示す。なお、図示例では矢印Ｙ２側に浚渫船１が配置されているが、説明の関係上省略した。
【００２４】
本発明の浚渫作業用の汚濁防止構造は、磁力により土運船３の舷側に吸着して汚濁防止枠２と土運船３とを連結する連結手段７と、土運船３の一側縁部３２から汚濁防止枠２内へ垂下する汚濁防止シート８を備えている。
【００２５】
連結手段７は、汚濁防止枠２のフロート体２１の上面に設けられている。具体的に云うと、連結手段７は、フロート体２１の土運船３側（矢印Ｘ１側）の辺２１Ｒに設けられる。図示例では、連結手段７が矢印Ｘ１側の１辺（辺２１Ｒ）にのみ設けられているが、対向するＸ２側の辺２１Ｌにも設けられてよい。すると、土運船３が辺２１Ｒ側と辺２１Ｌ側の何れに来ても対応できる。図示例の連結手段７は、１辺に対して２個設けられているが、１個でもよいし複数あってもよい。また、連結手段７の配置場所は、フロート体２１の上面に限らず、フロート体２１の側面や底面などであってよい。
【００２６】
連結手段７は、フロート体２１に固定される基部７１と、土運船３と吸着する吸着部７２を有している。連結手段７は、小型の装置である。
【００２７】
吸着部７２には、磁石が搭載されており、磁力のオン・オフを自在に切替可能な構成を有している。磁力がオンの場合は、吸着部７２が土運船３の舷側（以下、側面３１という）
に吸着し、磁力がオフの場合は、吸着部７２と土運船の側面３１との吸着が解除される。
【００２８】
磁力のオン・オフ切替手段としては、「ＮＳ反転方式」などを用いてよい。また、電流により発生される電磁力を利用してもよい。磁石は、ネオジウムを用いてよい。本実施形態の連結手段７は、土運船３の側面３１に吸着（接着）可能な磁力を有している。良好な磁力としては、土運船３の揺動に追従でき、かつ土運船３との吸着力を保持できる磁力である。
【００２９】
連結手段７は、磁力のオンとオフを遠隔操作する遠隔操作手段（不図示）を有している。遠隔操作手段としては、磁石を内蔵した吸着部７２へ圧縮空気を流入させる方法を用いてよい。一例として、吸着部７２に圧縮空気を流入させるホースの一端を接続し、該ホースの他端に圧縮空気の流入を操作する操作装置を接続した遠隔操作手段を用いてよい。吸着部７２内の磁石は、流入した圧縮空気によりＮ極とＳ極が反転して磁力のオンとオフが切替えられる。
【００３０】
連結手段７は、図２Ａに示すように土運船３が近づいてきたときに磁力をオン状態にすることが好ましい。本実施形態では連結手段７と土運船３との距離が、例えば１ｍ未満になった場合に、遠隔操作手段を操作して磁力をオン状態にする。すると、連結手段７は、土運船３を汚濁防止枠２へ引き寄せる機能を発揮できる。
【００３１】
そして、図２Ｂに示すように連結手段７は、吸着部７２により土運船３の側面３１に吸着して、汚濁防止枠２と土運船３とを直接的に連結する。したがって、汚濁防止枠２と土運船３との隙間は、実質的に０になり、上記隙間に土砂や濁水が落ちて汚濁が発生することを確実に防止できる。とは言え、汚濁防止枠２と土運船３との隙間は、実質的に０でなく若干の隙間が存在していてもよい。その際、後述する土運船３の一側縁部３２から汚濁防止枠２内へ垂下する汚濁防止シート８を配置することが好ましい。
【００３２】
次に、汚濁防止シート８について説明する。
本発明の浚渫作業用の汚濁防止構造は、土運船３の一側縁部３２から汚濁防止枠２内へ垂下する汚濁防止シート８を備えている。
【００３３】
汚濁防止シート８は、上辺８Ａが土運船３の一側縁部３２上に固定される。また固定されないフリーな下辺８Ｂには、錘材８１が取付けられている。上記構成の汚濁防止シート８は、下辺８Ｂを汚濁防止枠２内へ下垂することで、土運船３と汚濁防止枠２との間に掛け渡される。
【００３４】
錘材８１には、線材１０が連結されている。線材１０は、一側端部が土運船３の一側縁部３２上の支持体９と固定されている。したがって、線材１０を引き揚げることにより汚濁防止シート８を引き揚げることができる。
【００３５】
汚濁防止シート８は、図２Ａに示すように土運船３と汚濁防止枠２との連結前においては、下辺８Ｂを軸に巻くなどして収納した状態で一側縁部３２上に配置されてよい。勿論、作業以外の時には、汚濁防止シート８を一側縁部３２上から撤去し、別途用意した収納箱などに収納し、作業時には汚濁防止シート８を一側縁部３２上に上述のように設置してよい。
【００３６】
そして、図２Ｂに示すように土運船３と汚濁防止枠２とが連結手段７により連結されると、汚濁防止シート８の下辺８Ｂを汚濁防止枠２内に垂下させて、汚濁防止シート８を土運船３と汚濁防止枠２との間に掛け渡す。なお、図２Ｂに示す矢印Ｇ１、Ｇ２は、グラブバケット６１の移動線を示している。つまり、汚濁防止シート８は、浚渫した土砂を掴んだグラブバケット６１の移動線の直下位置に配置される。
【００３７】
したがって、汚濁防止シート８は、グラブバケット６１が移動線上を移動している際に、仮に土砂や濁水を落下させても、落下物を受け止めて汚濁防止枠２内へ戻すことができる。したがって、上記の汚濁防止シート８は、落下物が汚濁防止枠２のフロート体２１上に乗り、後に周辺水域に落下して周辺水域を汚濁させることを未然に防止できる。
【００３８】
上記したように本発明の浚渫作業用の汚濁防止構造は、汚濁防止枠２と土運船３とを、汚濁防止枠２に設けた連結手段７の磁力により連結する構成としたので、引き寄せ機能と、汚濁防止機能を確実に発揮できる。連結手段７は、小型であり汚濁防止枠２のフロート体２１へ設置するのみであるので、大掛かりな装置にはならず経済的である。
【００３９】
本発明の浚渫作業用の汚濁防止構造は、土運船３の一側縁部３２から汚濁防止枠２内へ垂下する汚濁防止シート８を備える構成とした。したがって、連結手段７による汚濁防止枠２と土運船３との連結において、汚濁防止枠２と土運船３との間に隙間が存在しても、汚濁防止シート８により該隙間を覆うことができる。すると、グラブバケット６１が移動線上を移動している際に土砂や濁水を落下させても、該汚濁防止シート８が落下物を受け止めて汚濁防止枠２内へ戻すので、上記隙間に土砂や濁水が落ちて汚濁が発生することを確実に防止できる。
【００４０】
更に本発明の浚渫作業用の汚濁防止構造は、汚濁防止枠２に連結手段７を設置し、土運船３に汚濁防止シート８を配置するのみの非常に単純な構成であるため汎用性が高い。のみならず、連結手段７や汚濁防止シート８は、比較的費用が安価であるため、連結手段７を土運船３が接舷する可能性のあるフロート体２１の２辺（矢印Ｘ１側とＸ２側）に設置し、汚濁防止シート８を土運船３の両舷（両側端縁上）に設置することを積極的に行える。すると、土運船３を浚渫船１の左右（矢印Ｘ１側とＸ２側）のどちらに接舷しても、本発明の効果を期待でき、土運船３の運行管理が容易となる。
【００４１】
＜施工手順＞
次に、図３、図４を参照しながら本発明の実施形態に係る浚渫作業用の汚濁防止構造の施工手順を説明する。図３は、汚濁防止枠２と土運船３とが連結手段７により連結されるまでの工程を示す。
【００４２】
先ず図３Ａに示すように、土運船３は、補助船１００により浚渫船１の場所まで誘導される。このとき汚濁防止シート８は、土運船３の一側縁部３２上に収納された状態で設置されている。なお、土運船３や浚渫船１の誘導は、押船などを利用してもよい。
【００４３】
図３Ｂに示すように、土運船３が浚渫船１の右側（矢印Ｘ１側）に接舷すると、浚渫船１の舷側に土運船３をロープ５等により繋留して、この土運船３を浚渫船１と汚濁防止枠２とに並設するように配置する。その際、汚濁防止枠２は、土運船３の船首側（矢印Ｙ２側）に位置している。
【００４４】
その後、補助船１００は、土運船３の船首側の舷側を押して、土運船３の船首側の側面３１が汚濁防止枠２に設置された連結手段７に近接するようにする。その際、遠隔操作手段を操作して連結手段７の磁力をオン状態にする。
【００４５】
土運船３のＸ２側の側面３１は、補助船１００の誘導力と、連結手段７の引き寄せ力（磁力）により、連結手段７と接触する。そして、土運船３の側面３１は、図３Ｃに示すように連結手段７の磁力により汚濁防止枠２と連結される。その後、汚濁防止シート８を展張し、該汚濁防止シート８の下辺８Ｂを汚濁防止枠２内へ垂下させる（図２Ｂ参照）。
【００４６】
次に、図４を参照しながら、汚濁防止枠２と土運船３との連結が解除されるまでの工程を説明する。
【００４７】
先ず図４Ａに示すように、浚渫船１は、連結手段７により汚濁防止枠２と土運船３とが連結された状態のまま、揚重機６による浚渫作業を行う。即ち揚重機６は、グラブバケット６１により汚濁防止枠２内の土砂を浚渫する。そして、揚重機６は、浚渫した土砂を掴んだグラブバケット６１を揚げた後、グラブバケット６１が土運船３上に来るように揚重機６の本体６０を旋回させ、グラブバケット６１を開いて土砂を土運船３内へ投入する。その後、揚重機６は、本体６０を旋回させグラブバケット６１を汚濁防止枠２上へ配置させる。上記した動作を繰り返すことで浚渫作業を行う。
【００４８】
浚渫作業時において、汚濁防止枠２と土運船３との隙間は、上述したように汚濁防止シート８と連結手段７による連結とにより完全に無くなっているので、上記隙間に土砂や濁水が落ちて汚濁が発生することを確実に防止できる。また、グラブバケット６１が移動線Ｇ１−Ｇ２上を移動している際に、土砂や濁水を落下させても汚濁防止シート８が落下物を受け止めて汚濁防止枠２内へ戻すので、落下物による汚濁の危険を未然に防止できる。
【００４９】
浚渫作業が終了すると、図４Ｂに示すように先ず汚濁防止シート８を線材１０により引き揚げる。汚濁防止シート８を引き揚げた後、連結手段７の磁力を遠隔操作手段によりオフ状態にする。そして、ロープ５の繋留を解いて、土運船３の浚渫船１との繋留状態を解除する。
【００５０】
そして、図４Ｃに示すように土運船３は、浚渫船１から離舷する。しかる後に汚濁防止シート８を適所に収納する。
【００５１】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００５２】
１        浚渫船
２        汚濁防止枠
２１      フロート体
２１Ｒ    辺（フロート体の右側の辺）
２１Ｌ    辺（フロート体の左側の辺）
２２      汚濁防止膜
３        土運船
３１      側面
３２      一側縁部
４、５    ロープ
６        揚重機
６０      本体
６１      グラブバケット
６２      ブーム
７        連結手段
７１      基部
７２      吸着部
８        汚濁防止シート
８Ａ      上辺
８Ｂ      下辺
８１      錘材
９        支持体
１０      線材
１００    補助船
【図１】
0006646459.tif 000002
【図２】
0006646459.tif 000003
【図３】
0006646459.tif 000004
【図４】
0006646459.tif 000005